(57)【要約】【課題】換気扇本体とダクト接続口との間の止水性を継続して確保できるダクト用換気扇を得ること。【解決手段】吸込口５及び吐出口、並びにファン３を収容するファンケーシング２を有する換気扇本体１と、換気扇本体１にスライドにより着脱可能に装着されて換気扇本体１の吐出口とダクトとを連通する筒状のダクト接続口６とを含み、吸込口５が室内側にダクト接続口６が室外側に配されるように天井の開口部から天井裏に突設されるダクト用換気扇であって、ダクト接続口６の換気扇本体１との当接面に設けられた溝６ａと、溝６ａの底面に、周縁部が溝６ａから突出せず、かつ中央部が溝６ａから突出するように貼り付けられた断面視略矩形状のパッキン８とを有する。【選択図】図１
2011226719.tif 000002
【特許請求の範囲】
【請求項１】
空気の吸込口及び吐出口、並びに遠心ファンを収容するファンケーシングを有する換気扇本体と、前記換気扇本体にスライドにより着脱可能に装着されて前記吐出口とダクトとを連通する筒状のダクト接続部材とを含み、前記吸込口が室内側に前記ダクト接続部材が室外側に配されるように天井の開口部から天井裏に突設され、前記吸込口から吸い込んだ空気を、前記ダクト接続部材を介して前記ダクトへ吐出することによって室内を換気するダクト用換気扇であって、
前記ダクト接続部材の前記換気扇本体との当接面に設けられた溝と、
前記溝の底面に、周縁部が前記溝から突出せず、かつ中央部が前記溝から突出するように貼り付けられた断面視略矩形状のパッキンとを有することを特徴とするダクト用換気扇。
【請求項２】
前記溝の底面は、幅方向の断面視が略台形状となるように中央部が隆起しており、
前記溝の中央部での深さは前記パッキンの厚さ以下であり、かつ前記溝の周縁部での深さは前記パッキンの厚さよりも深いことを特徴とする請求項１記載のダクト用換気扇。
【請求項３】
前記溝は、前記ダクト接続部材の前記換気扇本体側の開口の周囲に設けられたことを特徴とする請求項１又は２記載のダクト用換気扇。
【請求項４】
前記溝は、前記ダクト接続部材の前記換気扇本体側の開口の中央よりも下側に設けられたことを特徴とする請求項１又は２記載のダクト用換気扇。
【発明の詳細な説明】
【技術分野】
【０００１】
本発明は、天井の開口部に突設され、室内側に吸込口、室外側にダクトに連通するダクト接続口を有し、吸込口から空気を吸込み、ダクト接続口から吐出することにより室内を換気するダクト用換気扇に関する。
【背景技術】
【０００２】
ダクト用換気扇を天井の開口部に突設する際、一般的には、製品状態から取り外したダクト接続口を先に天井に（具体的にはダクトに）取り付けて、換気扇本体をダクト接続口に沿って天井の開口部に取り付ける。
【０００３】
また、換気扇本体とこれと一体となって機能するダクト接続口とからなる従来のダクト用換気扇としては、ダクト接続口の上部係合部と側部係合部とに、ダクト用換気扇本体の上部と側部とを係合させて、相互間の移動を規制する換気扇本体及びダクト接続口に設けられた位置決め手段と、位置決め手段の位置決めによって換気扇本体とダクト接続口との相対位置が所定の位置にある際に、両者の一方の下部側に設けられ、弾性力によって他方を一方に係合して密着させる係止片と、係止片に設けられた突起と係止片によって密着させられた換気扇本体及びダクト接続口の両者の他方に設けられた穴部とにより、両者を係止可能な係止部とを備えたダクト用換気扇などがある（例えば、特許文献１参照）。
【先行技術文献】
【特許文献】
【０００４】
【特許文献１】実公平５−４１３１２号公報
【発明の概要】
【発明が解決しようとする課題】
【０００５】
上記ダクト用換気扇は、浴室などの結露が発生しやすい場所に取り付ける場合は、ダクト接続口には、換気扇本体とダクト接続口との間の止水性を得る目的でパッキンを貼り付ける。
【０００６】
一般的には、パッキンの貼り位置指定及びパッキンの潰し代の確保のために、ダクト接続口には、単純な凹状の溝（矩形断面の溝）が設けられる。このようなダクト接続口のパッキン貼付部形状では、メンテナンス（例えば電動機の交換）などのために、ダクト接続口を天井に取り付けたままの状態で、換気扇本体の取り付け、取り外しを繰り返し行った場合、パッキンの貼付方向に対して垂直に力が働くことによってパッキンがダクト接続口から剥がれたり、破れたりするなどの現象が発生する。これにより、ダクト接続口に貼り付けられたパッキンの本来の目的である止水性を確保できなくなるという問題があった。
【０００７】
本発明は、上記に鑑みてなされたものであって、換気扇本体とダクト接続口との間の止水性を継続して確保できるダクト用換気扇を得ることを目的とする。
【課題を解決するための手段】
【０００８】
上述した課題を解決し、目的を達成するために、本発明は、空気の吸込口及び吐出口、並びに遠心ファンを収容するファンケーシングを有する換気扇本体と、換気扇本体にスライドにより着脱可能に装着されて吐出口とダクトとを連通する筒状のダクト接続部材とを含み、吸込口が室内側にダクト接続部材が室外側に配されるように天井の開口部から天井裏に突設され、吸込口から吸い込んだ空気を、ダクト接続部材を介してダクトへ吐出することによって室内を換気するダクト用換気扇であって、ダクト接続部材の換気扇本体との当接面に設けられた溝と、溝の底面に、周縁部が溝から突出せず、かつ中央部が溝から突出するように貼り付けられた断面視略矩形状のパッキンとを有することを特徴とする。
【発明の効果】
【０００９】
本発明によれば、ダクト接続口を天井に取り付けたままの状態で、換気扇本体の取り付け、取り外しを繰り返し行っても、パッキンがダクト接続口から剥がれたり、破れたりすることがなく、換気扇本体とダクト接続口との間の止水性を継続して確保できるという効果を奏する。
【図面の簡単な説明】
【００１０】
【図１】図１は、本発明の実施の形態にかかるダクト用換気扇の構成を示す横断面図である。
【図２】図２は、本発明の実施の形態にかかるダクト用換気扇のダクト接続口の溝形状を示す斜視図である。
【図３】図３は、本発明の実施の形態にかかるダクト用換気扇のダクト接続口の横断面図である。
【図４】図４は、本発明の実施の形態にかかるダクト用換気扇のダクト接続口の溝の拡大図である。
【発明を実施するための形態】
【００１１】
以下に、本発明にかかるダクト用換気扇の実施の形態を図面に基づいて詳細に説明する。なお、この実施の形態によりこの発明が限定されるものではない。
【００１２】
実施の形態．
図１は、本発明にかかるダクト用換気扇の実施の形態の構成を示す横断面図である。図２は、本実施の形態にかかるダクト用換気扇のダクト接続口の溝形状を示す斜視図である。図３は、本実施の形態にかかるダクト用換気扇のダクト接続口の横断面図である。図４は、本実施の形態にかかるダクト用換気扇のダクト接続口の溝の拡大図である。
【００１３】
本実施の形態にかかるダクト用換気扇は、室内側に吸込口５を、室外側にダクト（不図示）に連通するダクト接続部材としてのダクト接続口６を有しており、吸込口５から空気を吸込み、ダクト接続口６から吐出することによって室内の空気を屋外へ排出する。住宅などに設置される際、ダクト接続口６には屋外へ通じるダクト（不図示）が配管される。
【００１４】
換気扇本体１は、樹脂製の外郭を有しており、上部には電動機４が取り付けられている。電動機４の駆動軸にはファン３が差込結合されている。電動機４によってファン３が回転することにより、ダクト用換気扇は室内の空気を室外へ排出する。
【００１５】
換気扇本体１は、主に電動機４とファン３とを収納するとともに、下面が開放されて吸込口５が取り付けられた矩形箱状であり、換気扇本体１の側部にはダクト接続口６が垂直方向にスライドすることにより着脱可能に設けられている。
【００１６】
また、換気扇本体１は、ファン３を囲むように形成されたファンケーシング２を備えている。
【００１７】
ダクト接続口６は、換気扇本体１の側部に沿って垂直方向にスライドし換気扇本体１の上部に設けられた突起１ａと、換気扇本体１の本体フランジ部１ｂとに引っ掛けることで、パッキン８を所定の潰し代となるように押し潰して、換気扇本体１と接続されている。ダクト接続口６のダクト接続側には、シャッター７が設けられている。
【００１８】
さらに、ダクト接続口６には、図２に示すように、止水を目的としたパッキン８を貼り付けるための溝６ａが形成されている。これは、換気扇本体１が浴室などに設置された場合に換気扇本体１の内部で結露した水滴が室内側に滴下するのを防ぐものである。図３、図４に示すように、溝６ａの断面形状は、底の部分が溝から突出しない程度に台形状に隆起した形状となっている。すなわち、溝６ａは、断面形状が台形状のリブを溝の底に備えている。また、溝６ａは、ダクト接続口６の開口部の両側面の下部近傍と下面とを囲むように、Ｕ字形の形状となっている。Ｕ字形状の溝６ａは、周縁部（幅方向及び長手方法の端部）がパッキン８の厚さ以上の深さで形成されている。これにより、溝６ａの周縁部ではパッキン８の側面は溝６ａ内に収まって露出しないようになっている。また、溝６ａの底面の中央部（台形断面のリブの部分）での溝６ａの深さはパッキン８の厚さ未満となっている。溝６ａの底面のリブは断面視台形状であることにより、リブによって押し潰されたパッキン８は換気扇本体１と面接触で密着することとなり、高い止水性が実現される。
【００１９】
このように、溝６ａにパッキン８を貼り付けることにより、パッキン８の貼付方向に対してダクト接続口６がスライドする方向（垂直方向）に力が働いてパッキン８がダクト接続口６から剥がれたり、破れたりすることを防止できる。また、換気扇本体１とダクト接続口６とを接続した際にダクト接続口６の換気扇本体１側の開口の下面及び両側面に発生する隙間を塞ぐことができ、止水性を確保できる。ダクト接続口６の換気扇本体１側の開口の中心よりも下側をパッキンで塞ぐことで、止水性を確保しつつ、材料使用量を低減するとともに、装置の軽量化を実現できる。ただし、溝６ａがダクト接続口６の換気扇本体１側の開口を囲むように形成されていてもよい。
【００２０】
パッキン８は、溝６ａと同様にシームレスのＵ字形状である。パッキン８がシームレスとすることで、パッキン８同士のつなぎ目からの結露水９の漏れを防止できる。また、パッキン８の断面が一般的なパッキンと同様の略矩形状であるため、専用の部品である必要が無く、製造コストを低減できる。
【００２１】
ダクト用換気扇内に溜まった結露水９は、換気扇本体１とダクト接続口６との隙間から室内側に垂れることなく室外側へ流れる。又は、電動機４がファン３を回転させることで発生する空気流によって蒸発して、ダクト用換気扇内から消滅する。
【００２２】
上記のように、ダクト接続口６にパッキン８を貼り付けるためのＵ字形状の溝６ａを設けることで、ダクト接続口６を天井の開口部に取り付けた状態のまま、スライドによる換気扇本体１の取り付け、取り外しを繰り返し行っても、パッキン８がダクト接続口６から剥がれたり、破れたりすることを防止できる。これにより、パッキン８の目的である止水性を継続的に確保できる。よって、ダクト用換気扇の長寿命化を実現できる。
【産業上の利用可能性】
【００２３】
以上のように、本発明にかかるダクト用換気扇は、広く業務用、一般家庭用のダクト用換気扇に有用であり、特に、結露が発生する場所に設置されるダクト用換気扇に適している。
【符号の説明】
【００２４】
１  換気扇本体
１ａ  突起
１ｂ  本体フランジ部
２  ファンケーシング
３  ファン
４  電動機
５  吸込口
６  ダクト接続口
６ａ  溝
７  シャッター
８  パッキン
９  結露水
【図１】
2011226719.tif 000003
【図２】
2011226719.tif 000004
【図３】
2011226719.tif 000005
【図４】
2011226719.tif 000006